(57)【要約】【課題】商品のサイズや販売量が異なる場合であっても構成を複雑化することなく、また面倒な作業を伴うことなしに商品残量を見かけ上均一化することのできる商品払出装置を提供する。【解決手段】商品貯蔵部３Ａ〜３Ｈに着脱可能で、装着方向によって商品貯蔵部３Ａ〜３Ｈの容積を拡大又は縮小可能な凸状の背面板２１を取り付ける。このことによってサイズの異なる商品１００（大サイズ）、１０１（小サイズ）が同じ場所で販売される場合であっても、商品サイズの差に応じた適切な貯蔵量を背面板２１の装着方向の変更によって容易に設定することができ、商品の減り具合に格差があっても商品残量を見かけ上均一化することができる。【選択図】        図１
2005234944.tif 000002
【特許請求の範囲】
【請求項１】
面板に形成された突出部を外側あるいは内側に位置させて他の面板に取り付けることによって商品の収容容積が増加あるいは減少する商品貯蔵部と、
前記商品貯蔵部から所定数の前記商品を払い出す商品払出機構部と、
前記商品払出機構部より払い出された前記商品を商品払出要求者に払い出す商品払出部を有することを特徴とする商品払出ユニット。
【請求項２】
前記商品貯蔵部は、前記商品払出要求者が前記商品の残量を透視できるように透明パネルによって構成される請求項１記載の商品払出ユニット。
【請求項３】
前記突出部を有する面板は、前記商品のサイズに応じて前記突出部の突出方向が決められる請求項１記載の商品払出ユニット。
【請求項４】
前記突出部を有する面板は、前記商品の売れ行きに応じて前記突出部の突出方向が決められる請求項１記載の商品払出ユニット。
【請求項５】
前記突出部を有する面板は、前記商品の貯蔵量に応じた形状を有する請求項１記載の商品払出ユニット。
【請求項６】
面板に形成された突出部を外側あるいは内側に位置させて他の面板に取り付けることによって商品の収容容積が増加あるいは減少する商品貯蔵部と、前記商品貯蔵部から所定数の前記商品を払い出す商品払出機構部と、前記商品払出機構部より払い出された前記商品を商品払出要求者に払い出す商品払出部とをそれぞれ有する複数の商品払出ユニットと、
前記複数の商品払出ユニットの１つの前記商品払出機構部を制御して対応する前記商品払出部から前記商品を前記商品払出要求者に払い出させる制御部とを有することを特徴とする商品払出装置。
【発明の詳細な説明】
【技術分野】
【０００１】
本発明は、透明なカプセル状の収納容器に収納された玩具、ガム等の商品を１個ずつ払い出す商品払出装置に関し、特に、商品のサイズや販売量が異なる場合であっても構成を複雑化することなく、また面倒な作業を伴うことなしに商品残量を見かけ上均一化することのできる商品払出ユニットおよび商品払出装置に関する。
【背景技術】
【０００２】
従来、透明なカプセル状の収納容器に収納された玩具、ガム、飴、チョコレート等の商品を透明な筐体内に収納し、代金を投入してハンドルを回転させることにより筐体内の商品を撹拌しながら一つずつ払い出して販売する商品払出装置がある。
【０００３】
このような商品払出装置は、収容された商品が装置の前を往来する購買者の目に入るように形成されており、購買者に商品を宣伝するとともに色彩や装飾に基づいて集客性を高めるように購買者が集まる場所に設置される。販売される商品は、商品払出装置の管理者によって管理されて商品の売り切れが生じないように定期的に補充される。管理者は、商品払出装置の売り上げ状況や商品についての販売企画に基づいて商品の補充、あるいは交換を定期的に行う。
【０００４】
このような商品払出装置への商品の補充を容易に行えるようにしたものがある（例えば、特許文献１参照。）。
【０００５】
特許文献１の物品取出装置は、装置本体の上部に着脱自在に取り付けた物品収納ケースを交換できるように形成されており、物品収納ケースを取り替えるだけで取り出せる物品を簡単に変更することができる。
【特許文献１】特開平９−３２６０８１号公報（[００２４]、図３）
【発明の開示】
【発明が解決しようとする課題】
【０００６】
しかし、特許文献１の物品取出装置によると、交換可能な物品収納ケースのサイズが一定であるため、１個のサイズが大きな物品を扱う場合には販売できる物品の数が小になる。このため、物品の残量がすぐに尽きて売り切れになり易く、物品の補充を頻繁に行わなくてはならない。また、物品の残量が僅かになると購買者の購買意欲を減退させるために販売量が低下するという問題がある。
【０００７】
また、１個のサイズが小さな物品を扱う場合は収納量を大にできるが、購買者に不人気な物品であるといつまでも残量が減らず、売れ行きの良い物品との補充タイミングにずれが生じ、売れ行きが悪い印象を購買者に与えて販売量が低下する。更に、取り扱う物品が食品である場合には賞味期限を過ぎると廃棄しなければならず、物品の回収、廃棄といった面倒な作業が必要になるという問題がある。
【０００８】
従って、本発明の目的は、商品のサイズや販売量が異なる場合であっても構成を複雑化することなく、また面倒な作業を伴うことなしに商品残量を見かけ上均一化することのできる商品払出ユニットおよび商品払出装置を提供する。
【課題を解決するための手段】
【０００９】
第１の発明は、上記した目的を達成するため、面板に形成された突出部を外側あるいは内側に位置させて他の面板に取り付けることによって商品の収容容積が増加あるいは減少する商品貯蔵部と、前記商品貯蔵部から所定数の前記商品を払い出す商品払出機構部と、前記商品払出機構部より払い出された前記商品を商品払出要求者に払い出す商品払出部を有する商品払出ユニットを提供する。
【００１０】
また、第２の発明は、上記した目的を達成するため、面板に形成された突出部を外側あるいは内側に位置させて他の面板に取り付けることによって商品の収容容積が増加あるいは減少する商品貯蔵部と、前記商品貯蔵部から所定数の前記商品を払い出す商品払出機構部と、前記商品払出機構部より払い出された前記商品を商品払出要求者に払い出す商品払出部とをそれぞれ有する複数の商品払出ユニットと、前記複数の商品払出ユニットの１つの前記商品払出機構部を制御して対応する前記商品払出部から前記商品を前記商品払出要求者に払い出させる制御部とを有する商品払出装置を提供する。
【発明の効果】
【００１１】
本発明によれば、商品のサイズや販売量に依存せず、構成を複雑化することなく、また面倒な作業を伴うことなしに商品残量を見かけ上均一化することができる。
【発明を実施するための最良の形態】
【００１２】
以下、本発明の商品払出装置について説明する。第１の実施の形態は、複数の商品払出ユニットを備えた商品払出装置であり、第２の実施の形態は、１つの商品払出ユニットからなる商品払出装置である。
【００１３】
〔第１の実施の形態〕
（商品払出装置の全体構成）
図１は、第１の実施の形態に係る商品払出装置の斜視図である。この商品払出装置１は、スチール鋼板によって箱状に形成される本体部２と、本体部２の下部に設けられて本体部２を支持する基台部２Ａと、本体部２内に収容されて販売する商品を収納するとともに販売動作に基づいて商品を取り出す複数の商品払出ユニットＡ〜Ｈと、本体部２の中央に配置されて複数の商品払出ユニットＡ〜Ｈの販売動作を制御する制御ユニット１０とを有する。なお、本体部２を形成する材料はスチール鋼板に限定されず、例えば、樹脂材料等の他の材料であっても良い。
【００１４】
複数の商品払出ユニットＡ〜Ｈは、後述する施錠部によって本体部２に着脱自在に固体されている。なお、複数の商品払出ユニットＡ〜Ｈは、同一の構成を有しているので、以下の説明では主として商品払出ユニットＡの構成について説明する。
【００１５】
商品払出ユニットＡは、透明なカプセル状の収納容器に収納された玩具類、スーパーボール、ガム、飴、チョコレート等の商品を収納する商品貯蔵部３Ａと、本体部２の前面側に配置され、商品貯蔵部３Ａに収納される商品を視認できる透明なガラス材料からなる前面パネル５Ａと、前面パネル５Ａに取り付けられて商品貯蔵部３Ａに収納されている商品を宣伝する看板パネル３２と、前面パネル５Ａの下方に設けられて商品払出要求者である購買者の手操作に基づいて回転することにより商品貯蔵部３Ａに収納された商品を払い出すハンドル７１を有するハンドルパネル７０Ａと、前面パネル５Ａの上方に設けられてＬＥＤ(Light Emitting Diode)の発光に基づいて点灯するディスプレイランプ３３と、商品貯蔵部３Ａの前面パネル５Ａと対向する側、すなわち、背面側に設けられて商品貯蔵部３Ａの容積を拡大する着脱自在な背面板２１とを有する。この背面板２１は、本体部２と商品貯蔵部３Ａとの間の空間に収容可能なサイズを有して構成されている。
【００１６】
ハンドルパネル７０Ａは、ハンドル７１と、ハンドル７１の下方に設けられて商品を取り出す商品取出口９Ａとを有し、商品払出ユニットＡの前面に着脱自在に取り付けられている。ハンドル７１は、購買者の手操作時に適度なクリック感を伴って回転するように構成されている。
【００１７】
制御ユニット１０は、投入される硬貨を処理するコインメカ１５を有し、コインメカ１５は、投入された硬貨の金額を表示する表示部１１と、購買者が商品の取り出しを希望する商品払出ユニットＡ〜Ｈを選択する複数の選択ボタンを有した操作パネル１２と、代金としての硬貨を投入する硬貨投入口１３と、硬貨の返却動作を行わせる返却ボタン１３Ａと、硬貨を返却する硬貨返却口１４とを有する。なお、制御ユニット１０は、前面が図示しない扉機構によって開閉自在に形成されており、通常は旋錠部で施錠されることによって前面の開閉が規制されている。
【００１８】
（商品払出ユニットの構成）
図２は、商品払出ユニットを示し、（ａ）は商品払出ユニットＡとハンドルパネルの斜視図、（ｂ）は商品払出ユニットＣの斜視図である。ハンドルパネル７０Ａは、説明を容易にするために商品払出ユニットＡから分離した状態としている。商品払出ユニットＡは、図２（ａ）に示すように金属材料からなるフレーム２５、枠部材２５Ａ、および補強板２６によって四角柱状の構造体を形成しており、前面には前面パネル５Ａと、商品の宣伝や金額が記載された看板パネル３２と、ディスプレイランプ３３が設けられている。
【００１９】
また、四角柱状の構造体の内部には、フレーム２５と同じ材料からなるベース３４が設けられており、ベース３４の上側には商品貯蔵部３Ａと、商品貯蔵部３Ａに収納される商品を誘導する誘導板３５とを有する。また、誘導板３５に近接して商品貯蔵部３Ａに収納される商品を取出穴（図示せず）に移動させる回転板３１が設けられており、ベース３４の下側には取出穴から商品貯蔵部３Ａに収納される商品を払い出す傾斜面を有した商品通路３９が設けられている。商品通路３９は、商品取出口９Ａとともに商品払出部を構成している。
【００２０】
回転板３１は、成型加工性および食品に対する安全性に優れる樹脂材料によって円板状に形成されており、商品貯蔵部３Ａに収納される商品のサイズに応じた径の収容孔３８が所定の間隔で環状に配置されている。また、ハンドルロック部４３Ａのロック構造に基づいて収容孔３８を商品通路３９に通じる取出穴に応じた位置に配置する。
【００２１】
また、回転板３１は、ハンドルパネル７０のハンドル７１に軸７２を介して取り付けられるギア７３と噛み合うように形成されており、軸７２は、ハンドルロック部４３Ａによって回転を規制されている。ハンドルロック部４３Ａは、図示しないプランジャを突出させて軸７２と係合させることによって回転を規制するものであり、代金の投入に基づくロック解除信号が入力すると、プランジャの係合を解除する電気錠である。この回転板３１、収容孔３８、ハンドルロック部４３Ａ、ギア７３、および後述するスプリング３７によって商品払出機構部を構成している。
【００２２】
また、ハンドルパネル７０は、施錠部７４を有しており、商品払出ユニットＡを前述の本体部２に収容した後に商品貯蔵部３Ａの前面、すなわち、看板パネル３２の下方に取り付けられることにより、本体部２の前面と一体化し、施錠部７４の施錠操作を行うことによって商品払出ユニットＡを本体部２に固定する。
【００２３】
誘導板３５は、商品貯蔵部３Ａに収納される物品を収容孔３８に落下するように誘導する。また、回転板３１の上部には商品貯蔵部３Ａに収納される物品を攪拌するスプリング３７が設けられている。
【００２４】
（背面板を設けた商品貯蔵部の構成）
図２（ａ）において、商品貯蔵部３Ａは、側面に透明な樹脂材料で形成された透明パネル２７が固定されており、背面には、商品貯蔵部３Ａの容積を可変させる金属材料からなる立体状の背面板２１がフレーム２５に対してねじ止め固定されている。背面板２１は、凸側がフレーム２５の外側に突出するように商品貯蔵部３Ａにねじ止め固定されており、その上方には開放端２４を形成する。
【００２５】
図２（ｂ）は、商品貯蔵部３Ｃに設けられる背面板２１を示す。同図においては商品通路３９を除いた構成を示している。商品貯蔵部３Ｃにおいて、背面板２１は、凸側がフレーム２５の内側、すなわち商品貯蔵部３Ａの容積を縮小するように商品貯蔵部３Ａにねじ止め固定されており、その上方には開放端２４を形成する。
【００２６】
（背面板２１の構成）
図３は、背面板の構成を示し、（ａ）は突出部を有した背面板の斜視図、（ｂ）は平板からなる背面板の斜視図である。図３（ａ）に示す背面板２１は、フレーム２５と同じ材料をプレス加工することによって形成されており、ネジ穴２３を有した取付部２１Ａと、傾斜面２１Ｂと、側面２１Ｃと、背面２１Ｄによって突出部を形成している。背面２１Ｄの内側には補強のリブ２１ａが設けられている。
【００２７】
背面板２１の着脱は、取付部２１Ａのネジ穴２３に図示しないネジ部材を貫通させてネジ固定することにより行われる。また、図３（ｂ）の背面板２１は、図３（ａ）の背面板２１を使用しない場合に用いられるものであり、ネジ穴２３は図３（ａ）の背面板２１と同一の配置で形成されている。
【００２８】
（商品貯蔵部における商品の貯蔵状態）
図４は、サイズの異なる商品を同じ数量で貯蔵した商品貯蔵部を示し、（ａ）はカプセル状の収納容器に収納されたサイズの大なる商品１００を貯蔵した商品貯蔵部３Ａの側面断面図、（ｂ）はサイズの小なる商品としてボール状のガムである商品１０１を貯蔵した状態の商品貯蔵部３Ｃの側面断面図である。
【００２９】
図４（ａ）において、背面板２１は、凸側がフレーム２５の外側に突出するように商品貯蔵部３Ａに取り付けられており、そのことによって商品貯蔵部３Ａの容積が拡大されている。商品１００は、商品貯蔵部３Ａおよび背面板２１によって拡大された空間に貯蔵される。
【００３０】
また、図４（ｂ）において、背面板２１は、凸側がフレーム２５の内側に突出するように商品貯蔵部３Ｃに取り付けられており、そのことによって商品貯蔵部３Ｃの容積を縮小している。商品１０１は、背面板２１によって縮小された商品貯蔵部３Ｃに貯蔵される。この状態で、前面パネル５Ｃを介して商品貯蔵部Ｃに貯蔵された商品１００の貯蔵レベルを確認すると、図４（ａ）に示す商品貯蔵部Ａに貯蔵された商品１０１の貯蔵レベルとほぼ同じになる。
【００３１】
（売れ行きの異なる商品の貯蔵状態）
図５は、サイズが同一の商品を異なる数量で貯蔵した商品貯蔵部を示し、（ａ）は販売量が大のカプセル状の商品１０２を貯蔵した商品貯蔵部３Ａの側面断面図、（ｂ）は販売量が小の商品１０３を貯蔵した状態の商品貯蔵部３Ｃの側面断面図である。
【００３２】
図５（ａ）において、背面板２１は、凸側がフレーム２５の外側に突出するように商品貯蔵部３Ａに取り付けられており、そのことによって商品貯蔵部３Ａの容積が拡大されている。商品１０２は、容積が拡大された商品貯蔵部３Ａに通常より大なる貯蔵量で貯蔵される。
【００３３】
また、図５（ｂ）において、背面板２１は、凸側がフレーム２５の内側に突出するように商品貯蔵部３Ａに取り付けられており、そのことによって商品貯蔵部３Ａの容積を縮小している。商品１０２は、容積が縮小された商品貯蔵部３Ａに通常より少ない貯蔵量で貯蔵される。この状態で、前面パネル５Ｃを介して商品貯蔵部３Ｃに貯蔵された商品１０３の貯蔵レベルを確認すると、図５（ａ）に示す商品貯蔵部３Ａに貯蔵された商品１０２の貯蔵レベルとほぼ同じになる。
【００３４】
また、商品貯蔵部の容積を変更する際、例えば、図３（ｂ）で説明した平板状の背面板２１を取り付けることによって、図５（ａ）および（ｂ）に示す商品貯蔵部３Ａ、３Ｃの中間の貯蔵量を選択することもできる。
【００３５】
（制御ユニットの構成）
図６は、制御ユニットの回路ブロック図である。制御ユニット１０は、購買者による商品払出ユニットＡ〜Ｈの選択信号を発生する操作パネル１２と、硬貨の処理に係る硬貨処理信号を発生するコインメカ１５と、保守点検時にオペレータによって操作されて各種設定の登録、読み出し、メンテナンスプログラムの実行を指示するキーボート等の入力部４５と、各種設定に基づいて設定されたデータ、販売量データ等を販売日時とともに記憶するデータ記憶部４４Ａとメンテナンスプログラム等のプログラムを記憶するプログラム記憶部４４Ｂとを有する記憶部４４と、各種設定および動作テストの結果を表示するＬＣＤ（Liquid Crystal Display）等の表示部４６と、各部を制御する制御部４１より構成される。なお、制御部４１は販売量データに販売日時を付すための図示しない時計回路を内蔵している。
【００３６】
制御部４１は、操作パネル１２から入力する商品払出ユニットＡ〜Ｈの選択信号と、コインメカ１５から代金に応じて入力する金額信号に基づいて販売条件が成立すると、該当する商品払出ユニットＡ〜Ｈのハンドルロック部４３Ａ〜４３Ｈにロック解除信号を出力する。ハンドルロック部４３Ａ〜４３Ｈは、ロック解除信号を受けてハンドル７１のロックを電気的に解除することにより、購買者がハンドル７１を回転させることができるようになる。
【００３７】
（商品払出装置の動作）
購買者は、商品払出ユニットＡ〜Ｈから自分が購入したい商品が貯蔵されている商品払出ユニットを選択し、その金額に応じた硬貨を硬貨投入口１３に投入する。コインメカ１５の硬貨処理部４２は、投入された硬貨が適正な硬貨であるか否かを材質、外径等から判断し、適正と判断された硬貨を所定の硬貨通路に振り分けて金庫に誘導する。また、この過程で金種が判定され、投入された硬貨の合計金額が制御部４１に出力される。制御部４１は、合計金額に対応する操作パネル１２の選択ボタンを点灯させて販売可能であることを購買者に通知する。
【００３８】
次に、購買者は点灯している選択ボタンの中から、自分が購入したい商品を貯蔵している商品払出ユニットに対応した選択ボタンを押下する。例えば、購買者が商品払出ユニットＡを選択する選択ボタンを押下すると、制御部４１に選択信号が入力する。制御部４１は、選択信号に基づいて記憶部４４に販売数データを出力するとともにハンドルロック部４３Ａにロック解除信号を出力する。記憶部４４は、制御部４１から販売数データを入力するとデータ記憶部４４Ａに商品払出ユニットＡの販売数データを累積する。
【００３９】
次に、購買者は商品払出ユニットＡのハンドル７１を手操作で時計方向に回転させる。ハンドル７１の回転力は軸７２を介してギア７３に伝達される。ギア７３は回転板３１のギア３６と噛み合って回転し、収容孔３８に収容されている商品を回転板３１の回転とともに移動させる。このことによって図示しない取出穴から１個の商品が払い出されて商品通路３９に落下する。ハンドル７１は、１回転するとハンドルロック部４３Ａによって再び電気的にロックされる。
【００４０】
商品通路３９は、傾斜面に沿って商品を商品取出口９Ａに誘導する。購買者は商品取出口９Ａを手で開くことによって商品取出口９Ａから商品を取り出す。
【００４１】
このようにして商品を販売すると、商品払出ユニットＡ〜Ｈで扱う商品について、売り切れ、売れ残りによる貯蔵量のばらつきが発生する。以下に、商品払出ユニットＡ〜Ｈにおける販売数の実績に基づいて商品貯蔵部３Ａ〜３Ｈの容積を変更する操作について説明する。
【００４２】
（商品貯蔵部の容積変更操作）
図７は、商品貯蔵部３Ａ〜３Ｈの容積変更についての手順を示すフローチャートである。まず、商品払出装置１の管理者は、商品払出装置１を所定の場所、例えば、購買者の集まる店舗等に設置する（Ｓ１０）。このとき、商品貯蔵部３Ａ〜３Ｈの背面板２１は、背面２１Ｄが内側に突出するようにネジ固定されているものとする。
【００４３】
次に、管理者は、入力部４５を操作して、制御ユニット１０の記憶部４４に商品の販売動作に基づいて発生する販売数データを累積するように商品払出装置１の初期設定を行う（Ｓ１１）。なお、この初期設定において、過去の販売実績や予測値を参照して背面板２１の突出部を外側あるいは内側に設けるようにしても良い。
【００４４】
次に、管理者は、商品貯蔵部３Ａ〜３Ｈに商品を収納して商品の販売を開始する（Ｓ１２）。購買者が商品払出ユニットＡ〜Ｈから商品を選択して購入すると、記憶部４４のデータ記憶部４４Ａには選択された商品の販売数データが累積される。
【００４５】
次に、商品の販売企画が順調に経過し（Ｓ１３：ＮＯ）、販売開始から一定期間（例えば、２週間）の補充サイクルが経過すると（Ｓ１４：ＹＥＳ）、管理者が販売状況の確認および商品の補充に訪れる。
【００４６】
次に、管理者は、制御ユニット１０の入力部４５を操作してメンテナンスプログラムの実行を指示する（Ｓ１５）。制御部４１は、プログラム記憶部４４Ｂからメンテナンスプログラムを読み込み、商品払出ユニットＡ〜Ｈの各商品についての販売数データを表示部４６に表示させる。
【００４７】
次に、管理者は、表示された販売数データと商品払出ユニットＡ〜Ｈの商品の貯蔵量を基に商品貯蔵部３Ａ〜３Ｈの容積変更の必要性を判断する（Ｓ１６）。例えば、商品貯蔵部３Ａにおいて、既に商品が売り切れており、かつ、販売数データの販売日時から売り切れの期間が数日間にわたって継続している場合には、容積変更の必要性ありと判断し（Ｓ１６：ＹＥＳ）、背面板２１の背面２１Ｄが外側に突出するように商品貯蔵部３Ａにネジ固定する（Ｓ１７）。
【００４８】
次に、管理者は、商品貯蔵部３Ａに商品を補充する（Ｓ１８）。次に、制御ユニット１０の入力部４５を操作してデータ記憶部４４Ａの販売量データをリセットし、メンテナンスプログラムを終了する。以降の販売動作において、制御ユニット１０は、販売動作に基づいて発生する販売数データを記憶部４４のデータ記憶部４４Ａに累積する。
【００４９】
また、管理者は、容積変更の必要性がないと判断したときは（Ｓ１６：ＮＯ）背面板２１の変更を行わずに商品貯蔵部３Ａに商品を補充する（Ｓ１８）。次に、制御ユニット１０の入力部４５を操作してデータ記憶部４４Ａの販売量データをリセットし、メンテナンスプログラムを終了する。
【００５０】
また、商品の販売企画が終了を迎えると（Ｓ１３：ＹＥＳ）、当該販売企画に係る商品の販売が停止される。販売企画の終了後は、例えば、新たな販売企画による商品が商品払出ユニットＡ〜Ｈに補充されて販売が行われる。
【００５１】
（第１の実施の形態の効果）
上記した第１の実施の形態によれば、以下の効果が得られる。
（１）商品貯蔵部３Ａ〜３Ｈに着脱可能で、装着方向によって商品貯蔵部３Ａ〜３Ｈの容積を拡大又は縮小可能な凸状の背面板２１を取り付けたことによって、サイズの異なる商品１００（大サイズ）、１０１（小サイズ）が同じ場所で販売される場合であっても、商品サイズの差に応じた適切な貯蔵量を背面板２１の装着方向の変更によって容易に設定することができ、商品の減り具合に格差があっても商品残量を見かけ上均一化することができる。そのため、管理者による商品補充を同時期に効率良く行うことが可能になり、販売ロスを生じることがない。
【００５２】
（２）売れ行きの良い商品１０１を販売する際に、凸状の背面板２１を商品貯蔵部３Ａ〜３Ｈに取り付けることで容積を拡大でき、販売数が大になっても売り切れを生じることがない。
【００５３】
（３）売れ行きの悪い商品については、凸状の背面板２１を商品貯蔵部３Ａ〜３Ｈに取り付けることで容積を縮小でき、売れ行きの良い商品との比較において商品残量を見かけ上均一化しながら在庫過多を防げる。
【００５４】
（４）背面板２１の装着方向に応じて商品貯蔵部３Ａ〜３Ｈの容積を容易に拡大、縮小することができるので、構成を複雑にすることがない。
【００５５】
なお、第１の実施の形態で説明した商品払出装置１では、背面板２１の形状を上面と側面の１つが開放され、開放された側面側が低くなるような傾斜面２１Ｂを底面とした矩形箱形状としたが、背面板２１の形状はこれに限定されない。上面が開放されていないもの、他の多角形、円柱、および取り付け口を設けた楕円、円形であっても良い。
【００５６】
また、背面板２１についても、図３（ａ）に示すもの以外に突出部の形状が異なる複数の背面板２１を用意しても良い。例えば、商品貯蔵部３Ａ〜３Ｈの貯蔵量に応じて突出部の形状の異なる複数の背面板２１を用意し、必要となる商品貯蔵部３Ａ〜３Ｈの貯蔵量に応じて背面板２１を選択的に交換する。この場合、装着した背面板２１に応じて拡張又は縮小される商品貯蔵部３Ａ〜３Ｈ全体の貯蔵量を背面板２１に刻印等で設けても良い。更に、商品補充時等に貯蔵量を容易に確認できるように突出部に目盛りを設けることも可能である。
【００５７】
また、第１の実施の形態では、背面板２１の取り付け位置を商品貯蔵部の背面側としたが、本体部２の形状に合わせて商品貯蔵部の背面側以外の他の位置、例えば、側面等に設けるようにしても良い。
【００５８】
〔第２の実施の形態〕
（商品払出装置の全体構成）
図８は、第２の実施の形態に係る商品払出装置の斜視図である。なお、第１の実施の形態と同一の構成を有する部分については同一の引用数字を付して説明している。この商品払出装置１は、強化樹脂材料によって箱状に形成される本体部２と、本体部２の下部に設けられて本体部２を支持する基台部２４と、本体部２内に収容されて販売するカプセル状の商品１００を収納するとともに販売動作に基づいて商品１００を取り出す商品払出ユニットＩと、商品払出ユニットＩの前面に硬貨投入口１３、返却ボタン１３Ａ、硬貨返却口１４を配置するように設けられるコインメカ３５Ａと、コインメカ３５Ａを通過した硬貨を貯蔵する金庫３５Ｂと、商品払出ユニットＩを本体部２に施錠する施錠部８０を有する。なお、本体部２を形成する材料は強化樹脂材料に限定されず、例えば、金属材料等の他の材料であっても良い。
【００５９】
（商品払出ユニットの構成）
商品払出ユニットＩは、商品１００を収納する商品貯蔵部３と、本体部２の前面側に配置されて商品貯蔵部３に収納される商品１００を視認できる透明なガラス材料からなる前面パネル５と、前面パネル５に取り付けられて商品貯蔵部３に収納されている商品１００を宣伝する看板パネル３２と、前面パネル５の下方に設けられて購買者の手操作に基づいて回転することにより商品貯蔵部３に収納された商品１００を払い出すハンドル７と、商品貯蔵部３の前面パネル５と対向する側、すなわち、背面側に設けられる着脱自在な背面板２１とを有する。
【００６０】
背面板２１は、本体部２と商品貯蔵部３との間の空間に収容可能なサイズを有して構成されていることにより、第１の実施の形態で説明したように商品貯蔵部３の容積を拡大したいときは凸側が外側に突出するように商品貯蔵部３にネジ固定する。また、商品貯蔵部３の容積を縮小したいときは凸側が内側に突出するように商品貯蔵部３にネジ固定する。
【００６１】
（第２の実施の形態の効果）
上記した第２の実施の形態によれば、第１の実施の形態の好ましい効果に加えて単体で設置される商品払出装置１であっても、商品のサイズ、販売量に応じて商品貯蔵部３の容積を容易に変更することができる。
【図面の簡単な説明】
【００６２】
【図１】本発明の第１の実施の形態に係る商品払出装置の斜視図である。
【図２】第１の実施の形態に係る商品払出ユニットを示し、（ａ）は商品払出ユニットＡとハンドルパネルの斜視図、（ｂ）は商品払出ユニットＣの斜視図である。
【図３】第１の実施の形態に係る背面板の構成を示し、（ａ）は突出部を有した背面板の斜視図、（ｂ）は平板からなる背面板の斜視図である。
【図４】サイズの異なる商品を同じ数量で貯蔵した商品貯蔵部を示し、（ａ）はカプセル状の収納容器に収納されたサイズの大なる商品を貯蔵した商品貯蔵部の側面断面図、（ｂ）はサイズの小なる商品としてボール状のガムである商品を貯蔵した状態の商品貯蔵部の側面断面図である。
【図５】サイズが同一の商品を異なる数量で貯蔵した商品貯蔵部を示し、（ａ）は販売量が大のカプセル状の商品を貯蔵した商品貯蔵部の側面断面図、（ｂ）は販売量が小の商品を貯蔵した状態の商品貯蔵部の側面断面図である。
【図６】第１の実施の形態に係る制御ユニットの回路ブロック図である。
【図７】商品貯蔵部の容積変更についての手順を示すフローチャートである。
【図８】第２の実施の形態に係る商品払出装置の斜視図である。
【符号の説明】
【００６３】
１、商品払出装置  ２、本体部  ２Ａ、基台部  ３、商品貯蔵部
３Ａ〜３Ｈ、商品貯蔵部  ５、前面パネル  ５Ａ、前面パネル
７、ハンドル  ９Ａ、商品取出口  １０、制御ユニット  １１、表示部
１２、操作パネル  １３、硬貨投入口  １３Ａ、返却ボタン
１４、硬貨返却口  １５、コインメカ  、傾斜面２１  ２１Ａ、取付部
２１Ｂ、傾斜面  ２１Ｃ、側面  ２１Ｄ、背面  ２１、背面板
２３、ネジ穴  ２４、開放端  ２４、基台部  ２５、フレーム
２５Ａ、枠部材  ２６、補強板  ２７、透明パネル  ３１、回転板
３２、看板パネル  ３３、ディスプレイランプ  ３４、ベース  ３５、誘導板
３５Ａ、コインメカ  ３５Ｂ、金庫  ３６、ギヤ  ３７、スプリング
３８、収容孔  ３９、商品通路  ４１、制御部  ４２、硬貨処理部
４３Ａ〜４３Ｈ、ハンドルロック部  ４４、記憶部  ４４Ａ、データ記憶部
４４Ｂ、プログラム記憶部  ４５、入力部  ４６、表示部
７０、ハンドルパネル  ７１、ハンドル  ７２、軸  ７３、ギア
７４、施錠部  ８０、施錠部  １００〜１０３、商品
【図１】
2005234944.tif 000003
【図２】
2005234944.tif 000004
【図３】
2005234944.tif 000005
【図４】
2005234944.tif 000006
【図５】
2005234944.tif 000007
【図６】
2005234944.tif 000008
【図７】
2005234944.tif 000009
【図８】
2005234944.tif 000010